(57)【要約】      （修正有）【課題】マウス使用時の手首等の疲労を予防することができるマウスパッドを提供する。【解決手段】本考案のマウスパッドにおいては、マウスの滑走板１１を下から支える支持体１２は載置平面１３と一点または一直線で接する構成とする。このため、マウスを滑走させたときに滑走板が揺動するので、手首や肘が回旋・屈伸を余儀なくされ、関連部位の血流を促進し、疲労を予防する。【選択図】図１
0003219999.tif 000002
【実用新案登録請求の範囲】
【請求項１】
計算機への入力装置であるマウスの下に置いてマウスを滑走させるためのマウスパッドであって、
マウスをその上で滑走させるための滑走板と、
該滑走板を下から支える支持体
とを備え、
該滑走板および該支持体は水平な平面の上に載置され、
該支持体は該滑走板および／または該載置平面と一直線または一点で接するものであって、
これにより、該滑走板の上でマウスを滑走させたときに、該一直線または該一点を支点として該滑走板が揺動する
ことを特徴とするマウスパッド
【請求項２】
請求項１のマウスパッドであって、
該滑走板と該載置平面との間に挟まれ、該滑走板の水平方向の移動に伴い回転し移動する円柱状または球体状の支持体と、
該滑走板または該載置平面に固定され該支持体が移動する範囲を制限するストッパー
とを備え、
該滑走板の上でマウスを滑走させたときに、該支持体が該ストッパーにより定められた範囲を回転して移動する
ことを特徴とするマウスパッド
【請求項３】
請求項１のマウスパッドであって、
該滑走板のうち該支持体の直上にあたる部分の重量を他の部分より大きくすることにより、
該滑走板の上でマウスを滑走させたときの該滑走板の揺動を小さくする
ことを特徴とするマウスパッド
【考案の詳細な説明】
【技術分野】
【０００１】
本考案は、計算機の入力装置であるマウスの下に置いてその上でマウスを滑走させるためのマウスパッドに関する。特に、長時間マウスを使用する場合等に発生する手首等の疲労を予防・軽減するためのマウスパッドに関するものである。
【背景技術】
【０００２】
マウスは、パーソナルコンピューターなどの入力装置として簡便なものであり、広く普及している。しかし、データ入力などのためにマウスを毎日長時間使用すると、手首や腕などの不調を生ずることが少なくない。これは、マウス使用時には手首、肘、肩などの関節が不自然な状態で固定されるため、関連する筋肉において血流が阻害され疲労を生じることが主たる原因であると考えられている。
【０００３】
この点を更に詳細に述べると、腕を自然に机上に置いた場合には、小指側は机上に圧着するが、親指側はやや浮いた状態になるのが普通である。しかし従来のマウスでは、小指側は浮かせ親指側は机上に近づけるようにマウスを握らなくてはならない。すなわち、このとき手首や腕はやや回内（右腕であれば、肘から手首の方向を見て反時計方向に回旋すること）している。そしてマウスを水平なマウスパッドの上で滑走させるときは、この回内状態を固定したままマウスを水平に動かさなくてはならないので、手首や腕の筋肉に負担がかかっている。
【０００４】
マウス使用による手首や腕等の疲労は、放置するといわゆる「マウス腱鞘炎」と呼ばれる炎症に至り、手首・肘・肩に留まらず背中や腰など全身に症状が及ぶ恐れもあるので、その予防は重要な課題となっている。このため、従来、マウスの形状・機能やマウスパッドの形状などにおいて、疲労を防ぐための様々な工夫が提案され、また実際に製品化されている。
【０００５】
上に述べた腕の回内を防ぐため、マウスに関しては、例えば、ジョイスティックのようなスタイルで握ることにより手首の回内を抑えて負荷を軽減する形状のマウスが製品化されている（非特許文献１）。また、マウスの形状そのものを、使用者の手や指の形状に合わせてカスタマイズして製造することにより、使用時の手首等の負担を軽減することが提案されている（特許文献１）。このほかにも、マウス内部に上下のクッション機能を内蔵する（特許文献２）、マウス後部に手首を置く台を付置する（特許文献３）など、様々な手段で手首等の負担を軽減するマウスが提案されている。
【０００６】
一方、マウスパッドに関しては、マウス滑走面を水平面ではなく傾斜面とすることにより、マウスを把持したときの上記の回内状態を解消させるものが提案されている（特許文献４，５，６）。このほかにも、手首の下にクッションを置き手首の高さを保つことで筋緊張を軽減するマウスパッド（非特許文献２）や、デスクに取り付け、体の横でマウスの操作をすることで、腕を前に出すことによる筋緊張を軽減したマウスパッド（非特許文献３）などが製品化されている。
【先行技術文献】
【特許文献】
【０００７】
【特許文献１】特開２００４−１５７７０９号公報
【特許文献２】特表２０１８−５０５４９９号公報
【特許文献３】特開平０６−０１９６１９号公報
【特許文献４】実用新案登録第３０３８７７７号公報
【特許文献５】特開平１１−２４８３６号公報
【特許文献６】実用新案登録第３１３７７９１号公報
【非特許文献】
【０００８】
【非特許文献１】SAKIDORI  “疲れないマウスのおすすめランキング”、      「第5位 サンワサプライ(SANWA SUPPLY) ワイヤレスエルゴレーザーマウス MA-ERGW6」      [online]、[２０１８年８月１７日検索]、インターネット  <URL:https://sakidori.co/article/44449>
【非特許文献２】Rakuten  “低反発 リストレスト付き マウスパッド”、      [online]、[２０１８年８月１７日検索]、インターネット          <URL:https://item.rakuten.co.jp/vaps/4589559084731/>
【非特許文献３】エルゴノミクスショップ  “マウステーブル”      [online]、[２０１８年８月１７日検索]、  インターネット      <URL:https://ergs.jp/products/detail.php?product_id=1885>
【考案の概要】
【考案が解決しようとする課題】
【０００９】
本考案は、マウス使用時の手首等の疲労を予防することができるマウスパッドを提供するものである。
上にも述べたように、マウス使用時の手首等の疲労を予防することは重要課題である。そして、疲労予防のためのマウスが多数提案・製品化されている。しかしこれらのマウスは特殊な形態・構造・製法となるので、高価格となり、また嵩張ったものになる。
【００１０】
一方、マウスではなくマウスパッドによって疲労予防ができれば、使用するマウスが特定のものに限られないので、大変好都合である。しかしながら、先に述べたようなすでに提案・製品化されている疲労予防型マウスパッドは、いずれも十分な疲労予防の効果を有しない。
【００１１】
なぜならば、マウスパッドをデスクに取り付けたり手首を置くクッションを設けたもの（非特許文献２、３）であっても、マウス使用中は手首や肘が特定状態に固定されるということは従来品と変わりなく、そこでの血流を阻害するものであるからである。また、マウス滑走面を傾けたマウスパッド（特許文献４，５，６）は、腕の回内状態は解消できるが、やはりマウス使用中は特定の方向に手首や肘が固定されてしまうので、十分な効果を有しない。
【００１２】
本考案の課題は、マウスの使用中に手首や肘が固定されることなく、むしろマウスを動かすと自ずと手首や肘の動きが促され、もって血流の阻害を防ぐことができるマウスパッドを、きわめて簡単・安価な構成によって提供することである。これによって、マウスの長時間使用時でも手首や腕の筋肉において疲労を発生することを防ぐことができる。
【課題を解決するための手段】
【００１３】
請求項１にかかるマウスパッドは、マウスをその上で滑走させるための滑走板と、該滑走板を下から支える支持体とを備え、これらは水平な平面（以下ではこれを載置板と称する）の上に載置される。載置板は、必ずしも本マウスパッドの構成部品の一つである必要はない。例えば、滑走板と支持体のみを備え、これらを直接平らな机上に置くことにより載置板を不要としたマウスパッドであっても本考案を構成する。
【００１４】
ここで、該支持体は、該滑走板と一直線または一点で接するものであるか、または、該載置板と一直線または一点で接するものであるとする。その両方であってもよい。これにより、本マウスパッドは、該滑走板の上でマウスを滑走させたときに、該一直線または該一点を支点として該滑走板が揺動することを特徴とするものである。
【００１５】
ここで揺動とは、シーソーのような支点を中心にした上下運動を意味する。これにより、該滑走板の上でマウスを移動すれば、該滑走板を左右あるいは前後に傾けることができる。
【００１６】
請求項１のマウスパッドは、例えば、断面が半円となる凸面を有する柱状の物体（以下ではこれを支持体と記す）を、該凸面が下向きになるように滑走板の下に固定し、それを載置板の上に置くことにより容易に実現できる。該支持体は該載置板とは一直線で接するものとなるからである。これにより該滑走板は、マウスを滑走させたときに、該支持体と該載置板との接線を支点に、その両側（これを左右とする）に揺動する。
【００１７】
請求項１のマウスパッドは、また例えば、円錐や角錐などの錐体を支持体として、その底面を滑走板の裏面に固定し、その頂点を載置板の上に置くことによっても容易に実現できる。該支持体は該載置板とは一点で接するものとなるからである。これにより該滑走板は、マウスを滑走させたときに、該支持体と該載置板との接点を支点に、全方向に揺動する。
【００１８】
請求項１のマウスパッドは、また例えば、球体を赤道部を含む平面で切断したような半球状の物体を支持体として、その切断平面側を滑走板の裏面に固定し、その球面側を載置板の上に置くことによっても容易に実現できる。この場合も、該滑走板は全方向に揺動する。
【００１９】
請求項１のマウスパッドは、また例えば、上面が錐体の頂点や半球のような凸型になっていて反対側の底面は平面になっている短い柱状物体を支持体として、その底面を滑走板の裏面に固定し、その凸面側を載置板の上に置くことによっても容易に実現できる。この場合も、該滑走板は全方向に揺動する。
【００２０】
以上に述べた支持体の取付方法は、上下をまったく逆転するとすることも可能である。例えば、錐体の支持体の底面を載置板に固定し、該錐体の頂点の上に滑走板の裏面を接するように置き、ここを支点とする構造であってもよい。
【００２１】
請求項２のマウスパッドは、請求項１のマウスパッドにおいて支持体を円柱状または球体状とし、これが滑走板と載置板との間で回転し、かつ転がって移動する構造とする。そして本マウスパッドは、該滑走板または該載置板に固定されているストッパーを備え、該支持体が転がることのできる範囲が該ストッパーにより定められた範囲に制限されることを特徴とする
【００２２】
請求項２のマウスパッドは、例えば、円柱状の支持体を載置板の上に横に寝かせ、その上に滑走板を載せ、また滑走板の特定の位置にストッパーとなる突起物を固定することにより容易に実現できる。該支持体は、滑走板および載置板のどちらにも固定されない。これにより、マウスを滑走させたときには、該支持体が回転して載置板の上を転がり、それに伴い該滑走板は水平方向に移動し、かつ揺動する。
【００２３】
請求項２のマウスパッドは、また例えば、支持体を球状の物体とし、これを載置板の上に置き、その上に滑走板を載せることによっても容易に実現できる。
【００２４】
請求項３のマウスパッドは、請求項１のマウスパッドにおいて、滑走板のうち支持体の直上にあたる部分の重量を他の部分より大きくすることにより、該滑走板の上でマウスを滑走させたときに、該滑走板の揺動を小さくすることを特徴とする。
【００２５】
請求項３のマウスパッドは、例えば、滑走板の裏面の支持体の直上にあたる部分に、金属板などの重量のある板を張り付けるなどにより、容易に実現できる。
【００２６】
以上に述べたように、請求項１ないし請求項３にかかる考案は、特殊な回転金具などを用いることなく単純・低コストの構成により、滑走板が揺動するマウスパッドを実現する。そして本考案にかかるマウスパッドは、従来、固定され静止しているべきマウスパッドの滑走板が揺動するという斬新な構成により、以下の「考案の効果」に述べるように、マウスの使用中にそれを使う手首や肘の運動を促し、その疲労を軽減する。
【考案の効果】
【００２７】
以上の請求項１、２および３の考案にかかるマウスパッドは、滑走板は支点でのみ支えられているので、その上でマウスを滑走させると滑走板が揺動して傾きの向きが変化する。このため、マウスの使用者は無意識のうちにマウスを持つ手の手首や肘を動かすことを余儀なくされる。
【００２８】
しかも、固定した傾きの滑走板を有するマウスパッドと異なり、本考案のマウスパッドはマウスの動きに伴って滑走板の傾きや方向が変化するので、手首や肘などがいろいろな方向に動かされ、マウスを操作しながら手首や肘の体操をしているのと同様の効果を得ることができる。すなわち、手首や肘が固定されている場合のような血流の阻害を生じさせないので、長時間のマウス使用による疲労を防ぐことができる。
【００２９】
即ち、請求項１の考案にかかるマウスパッドにおいては、支持体が滑走板または載置板と一線で接するものであれば、その接線の上を越えてマウスを左右に動かすと、滑走板はそれに応じて左右に傾く。よって、手首は左右に回旋させられ、上の効果が得られる。支持体が一点で接するものであれば、その接点の上を越えてマウスを動かすと、手首は回旋のみならず前後方向に屈伸もさせられる。
【００３０】
請求項２の考案にかかるマウスパッドにおいては、マウスを滑走させたときにはその摩擦力が滑走板や支持体に伝えられ、支持体は載置板の上を転がり、滑走板は支持体の回転に送られてしばらく水平移動し、その後傾く。すなわち、滑走板が揺動する支点そのものが移動する。また滑走板は水平状態をしばし保ったのち倒れる。このため手首の動きは、請求項１の場合のように単に固定した支点の上を越えるときのみ回旋・屈伸させられるのではなく、甚だ複雑なものとなる。その分、手首や肘が複雑に動かされるので、高い体操効果が得られる。
【００３１】
請求項３の考案にかかるマウスパッドにおいては、滑走板の支点周辺部の重量が外縁部に比べて大きくなるので、マウスが支点の直上部を外れて移動したときの滑走板を傾ける回転モーメントは小さくなり、滑走板の傾きは緩慢になる。このため、滑走板の傾きに伴う手首の回旋・屈伸を緩やかなものにすることができる。
【図面の簡単な説明】
【００３２】
【図１】請求項１にかかる考案の実施形態である実施例１のマウスパッドの投影図であり、（ａ）は正面図、（ｂ）は側面図である。
【図２】請求項２にかかる考案の実施形態である実施例２のマウスパッドの投影図であり、（ａ）は正面図、（ｂ）は側面図である。
【図３】実施例２における一動作例を示すための図であり、（ａ）は動作の開始時、（ｂ）は動作中、（ｃ）は動作の終了時、の各々における実施例２のマウスパッドの正面図である。
【図４】請求項３にかかる考案の実施形態である実施例３のマウスパッドの正面図である。
【考案を実施するための形態】
【００３３】
以下では、本考案の実施形態を、図１から図４に示す実施例１、２および３を用いて具体的に説明する。
【実施例１】
【００３４】
図１は、請求項１にかかる考案の実施形態の一つである実施例１のマウスパッドを、投影図によって図示したものである。図１において、（ａ）はその正面図であり、（ｂ）はその側面図である。また、１１は滑走板、１２は支持体、１３は載置板、１４は載置板１３の左右両側に取り付けた側壁、１５は載置板１３の前後両側に取り付けた側壁である。図が煩瑣になることを防ぐため、（ａ）においては前後の側壁１５の投影線、（ｂ）においては左右の側壁１４の投影線は省略している。
【００３５】
なお、以下の実施例１ないし３においては、滑走板の形状は四角形であり、その長辺が使用者の人体前面に平行になるように置かれているものと仮定する。しかし、これらは本考案の必須要件ではなく、例えば円形や楕円形の滑走板であっても本考案を構成することは明らかである。また載置板は、マウスパッドに一体化された部品であると仮定しているが、先にも述べたように、このことも本考案を構成する必須要件ではない。またカギ型の側壁は、載置板の周囲を囲っており、これによってマウスパッドの操作中や運搬中に滑走板や支持体が載置板の外に飛び出すことを防いでいるが、これも載置板と同様に本考案を構成する必須の要素ではない。
【００３６】
支持体１２としては、実施例１では（ａ）に示すように下面が円形の曲面になっている柱状の物体を使用している。また支持体１２は、（ｂ）に示すように長手方向の両端が丸く面取りされている。そして支持体１２の上面は滑走板１１に固定されている。支持体１２の下面は載置板１３の上に固定せずに置かれている。
【００３７】
なお、支持体１２の両端が丸く面取りされているのは、滑走板が前後にも容易に揺動できるようにするためであるが、このことは本考案の必須要件ではない。例えば、支持体１２の両端が平面であるときは、滑走板は前後には揺動しにくくなるが、左右の揺動は行われるので、本考案の実施となる。
【００３８】
図１（ａ）（ｂ）から明らかなように、滑走板１１は、支持体１２の下面と載置板との接線を支点として、その左右に揺動する。また支持体１２の長手方向が滑走板の上下端まで届いておらず、かつその両端が丸く面取りされていることから、滑走板１１は前後にも容易に揺動する。
【００３９】
このため、マウスを支点の上で左右に滑走させたときには、滑走板が左右に揺動し、それに応じて手首が左右に回旋する。またマウスを前後に滑走させたときには、滑走板が前後に揺動し、それに応じて手首が前後に屈伸する。これによって手首や肘のまわりの筋肉が伸縮し、血流の阻害による疲労を防止することができる。
【実施例２】
【００４０】
図２は、請求項２にかかる考案の実施形態の一つである実施例２のマウスパッドを、投影図によって図示したものである。図２において、（ａ）はその正面図であり、（ｂ）はその側面図である。また、２１は滑走板、２２は支持体、２３は載置板、２４，２５は側壁、２６，２７はストッパー、である。図１と同様に、図が煩瑣になることを防ぐため、（ａ）においては前後の側壁２５の投影線、（ｂ）においては左右の側壁２４の投影線は省略している。
【００４１】
支持体２２としては、実施例２では円柱状の物体を使用している。また本実施例では、支持体２２は（ｂ）に示すように長手方向の両端は丸くなっている。これは滑走板が前後にも容易に揺動できるようにするためであるが、丸くなっていることは本考案の必須要件ではない。例えば、支持体２２は両端に向かってテーパーがかかっているものでもよいし、両端が平面であってもよい。そして支持体２２はどこにも固着されずに、載置板２３の上に横になるように置かれている。
【００４２】
実施例１にも述べたように、支持体２２の両端が丸くなっていることは本考案の必須要件ではない。例えば、支持体２２は両端に向かってテーパーがかかっているものでもよいし、両端が平面であってもよい。
【００４３】
ストッパー２６，２７は、実施例２においては三角柱の物体を使用している。ストッパー２６，２７は、支持体２２の両側に位置するように、支持体とはある程度の間隔をあけて滑走板２１の下面に固定されている。
【００４４】
図２（ａ）（ｂ）から明らかなように、滑走板２１は、滑走板２１の下面と支持体２２との接線を支点として、その左右に揺動する。また支持体２２の長手方向が滑走板の上下端まで届いておらず、かつその両端が丸くなっていることから、滑走板２１は前後にも多少は揺動する。このため、マウスを支持体２２の上で左右に滑走させたときには、実施例１と同様に、滑走板が前後左右に揺動し、手首等の疲労を防止することができる。
【００４５】
以上に加えて、請求項２にかかる考案の特徴として、実施例２では、支持体２２は載置板２３の上を回転して転がることができる。そして、２個のストッパー２６，２７は支持体２２の両側に間隔をあけて固定されているのであるが、この構成のもたらす効果について以下に詳述する。
【００４６】
実施例２においては、マウスを滑走させたときには滑走板２１はマウスとの摩擦力により引っ張られ、下の支持体２２を回転させ、滑走板２１は引っ張られた方向に移動するとともに支持体２２は載置板の上を回転して転がる。
【００４７】
上記構成の第一の効果は、このとき支持体２２は、必ずしも長手方向が人体正面に向かう方向になるとは限らず、ストッパーが許容する範囲で斜め向きになることもあることである。これによって、支点となる滑走板２１と支持体２２との接線が斜めになるので、マウスを滑走させたとき滑走板は斜め方向に倒れることになり、これに伴い、手首の曲がり方も前後左右だけでなく斜め方向の動きも促される。
【００４８】
上記構成の第二の効果は、上記のように支持体２２が２個のストッパーの間を回転して転がることにより、手首の回旋を緩やかにすることである。これについて図３（ａ）（ｂ）（ｃ）に示す動作例について説明する。図３においては、３１はマウス、３２は滑走板２１の移動方向を示す矢印、３３はマウス３１の移動方向を示す矢印である。２１〜２７の構成要素は図２と同じであるので説明は省略する。なお、図を簡明にするため、図３では側壁２４、２５の記載は省略している。
【００４９】
図３（ａ）において、滑走板２１は図の右側に倒れており、支持体２２は左のストッパー２６によって止められているとする。この状態から、マウス３１を滑走板２１の右端から左端に向かって左に滑走させるものとする。
【００５０】
マウス３１を矢印３３に示すように左に動かすと、マウスと滑走板との間の摩擦力によって滑走板２１は矢印３２に示す方向に押され、支持体２２が回転し、滑走板はその上を送られるように左に移動する。このため図３（ｂ）に示すように、支持体２２はストッパー２６から離れ、右のストッパー２７に近づく。また右に倒れていた滑走板２１は移動中は水平になる。
【００５１】
さらにマウス３１を左に動かすと、図３（ｃ）に示すように、支持体２２は右のストッパー２７によって動きを止められる。このため、滑走板は左に倒れる。
【００５２】
以上において、マウス３１を持つ手首の動きを考える。以下では右手でマウスを持つと仮定する。また図３は人体の側からマウスパッドを見た図であるとする。
【００５３】
マウス３１を持つ手首は、図３（ａ）から（ｂ）、（ｃ）へと変わるにつれて、徐々に回内する。すなわち、右手の甲が体の右外側向きからいったんは上向きに、そして左外側向きになるように、手首が回内する。このように、手首が緩やかに回旋することが実施例２の第二の効果である。
【００５４】
なお、実施例２の支持体２２は柱状物体を横に寝かせたものとしたが、支持体２２を球状物体とする場合は、ストッパーは支持体の左右だけでなく前後にも取り付けることが考えられる。
【実施例３】
【００５５】
図４は、請求項３にかかる考案の実施形態の一つである実施例３のマウスパッドについて、その正面図を図示したものである。実施例３は、実施例２のマウスパッドに請求項３にかかる考案を適用したものである。
【００５６】
図４においては、２１ないし２７は図２、図３と共通のものであるので説明は省略する。図２（ａ）と同様に、側壁２５の記載は省略している。４１は錘板であり、図４ではわかりやすいように黒く塗りつぶしている。錘板４１は、例えば重い金属板などで構成できる。錘板４１は滑走板２１に固着し、その下にストッパー２６、２７を固定している。
【００５７】
図４から明らかなように、実施例３の滑走板２１は錘板４１のために両ストッパーの間の部分が重くなっているので、揺動しにくくなっている。したがって本考案により、滑走板２１の上でマウスを滑走させたときに、マウスを持つ手首の回旋や屈伸を、実施例１，２に比べるとより緩やかなものにできる。
【００５８】
なお、実施例３は実施例２に錘板を加えた例を示しているが、実施例１に錘板を加えたものも請求項３にかかる本考案の実施形態となることはいうまでもない。
【００５９】
以上をまとめると、請求項１の実施形態である実施例１においては、マウスが支点の上を左右に滑走するときに滑走板が左右に倒れ、マウスを持つ手首は急速に回旋させられる。また滑走板は前後方向にも揺動するので、手首は前後に屈伸もさせられる。また、請求項２の実施形態である実施例２においては、マウスが支点の上を滑走するときには、支点を形成する支持体が転がって位置や向きを変えるので、滑走板は前後左右の様々な方向に様々な大きさで倒れ、倒れる早さも様々であり、それに伴ってマウスを持つ手首も前後左右の様々な方向に様々な大きさで回旋・屈伸させられる。請求項３の実施形態である実施例３においては、支点の上に錘板を置くことにより滑走板の急速な揺動を抑え、手首の回旋・屈伸の速さや大きさを緩やかにできる。
【００６０】
よって本考案は、マウスを使用するときに手首や肘、上腕の運動が促されるので、これら部位での血流の阻害を防ぐ効果がある。また本考案は、使用者の好みに応じた製品を選択できるように、運動の緩急が異なる複数種類のマウスパッド装置を提供するものであり、マウス使用時の手首や肘等の疲労を防止する効果が大きい。
【００６１】
また上記の実施例１ないし実施例３からわかるように、本考案は複雑・高価な部品の使用は必要なく、きわめて簡単・安価な構成によって実現できるので、本考案を適用した製品の普及は容易であり、その意味からも本考案の効果は大きい。
【符号の説明】
【００６２】
１１  滑走板
１２  支持体
１３  載置板
１４  側壁
１５  側壁
２１  滑走板
２２  支持体
２３  載置板
２４  側壁
２５  側壁
２６  ストッパー
２７  ストッパー
３１  マウス
３２  滑走板の動く方向を示す矢印
３３  マウスの動く方向を示す矢印
４１  錘板
【図１】
0003219999.tif 000003
【図２】
0003219999.tif 000004
【図３】
0003219999.tif 000005
【図４】
0003219999.tif 000006